(57)【要約】【課題】マナーモード設定状態における着信であっても重要度の高い着信に対してより確実に応答することが出来る携帯電話機を提供する。【解決手段】本発明に係る携帯電話機は、所定の条件が設定されているメモリと、着信に応答するユーザ操作が行なわれずに通信が中断された場合に、前記記憶手段を参照して該着信が前記所定の条件を満たすかどうかを判断し、前記着信が所定の条件を満たすと判断されたとき、バイブレータを動作させる制御回路とを具えている。【選択図】図５
2009159527.tif 000002
【特許請求の範囲】
【請求項１】
着信を音声若しくは振動で報知する報知手段を具えた携帯電話機において、
所定の条件が設定されている記憶手段と、
着信に応答するユーザ操作が行なわれずに通信が中断された場合に、前記記憶手段を参照して該着信が前記所定の条件を満たすかどうかを判断する判断手段と、
前記着信が所定の条件を満たすと判断されたとき、報知手段を動作させる制御手段
とを具えていることを特徴とする携帯電話機。
【請求項２】
前記所定の条件は、着信の重要度に応じて設定されている請求項１に記載の携帯電話機。
【請求項３】
前記所定の条件は、その着信が予め指定されている送信相手からの着信であること、所定の時間内に同一の送信相手から所定の回数だけ着信があること、着信時に留守番録音機能による音声メッセージが録音されること、電子メールの着信時にそのメール情報に所定の文字列が含まれていること、電話着信後に同一の送信相手から電子メールが着信すること、電子メールの着信後に同一の送信相手から電話着信があること、或いは所定の時間帯内の着信であること、若しくはこれらの条件の組合せである請求項１又は請求項２に記載の携帯電話機。
【請求項４】
前記制御手段は、着信が所定の条件を満たすと判断されたとき、所定時間内にその着信の送信相手への発信操作を行なわない場合に限り、報知手段を動作させる請求項１乃至請求項３の何れかに記載の携帯電話機。
【請求項５】
前記制御手段は、着信が所定の条件を満たすと判断されたとき、所定の時間だけ若しくは所定の回数だけ、報知手段を動作させる請求項１乃至請求項４の何れかに記載の携帯電話機。
【発明の詳細な説明】
【技術分野】
【０００１】
本発明は、着信を音声若しくは振動で報知する携帯電話機に関するものである。
【背景技術】
【０００２】
この種の携帯電話機においては、マナーモード設定状態で音声通話(電話)の着信又は電子メールの着信があったとき、図６(ａ)の如くバイブレータが動作して振動によって着信が報知される。この報知に応じてユーザがオフフック操作を行なうと、バイブレータの動作は停止し、通話が可能となる。
【０００３】
ユーザがバイブレータの振動に気が付かず、着信に応答しなかった場合は、着信から一定時間経過後、バイブレータの動作が停止し、通信状態が中断されると共に、図６(ｂ)の如くディスプレイには不在着信が有ったことが表示されることになる。
従って、ユーザは、この表示を見て不在着信を知ることが出来、その送信相手に連絡(発呼又はメール送信)を行なうことが出来る。
【０００４】
しかしながら、ユーザが着信時の振動に気が付かなかった場合、ディスプレイに不在着信が有ったことが表示されるに過ぎないため、その後も長時間に亘って着信に気が付かない虞があり、緊急若しくは重要な内容の連絡であった場合に迅速に対応することが出来ない問題がある。
【０００５】
そこで、ユーザがバイブレータの振動に気が付かず、着信に応答しなかった場合に、図６(ｂ)の如くディスプレイに不在着信の旨を表示すると共に、バイブレータを一定時間間隔で動作させて、振動によって不在着信があったことを報知する携帯電話機が提案されている(特許文献１参照)。
【特許文献１】特開２００２−１６６７１号公報
【発明の開示】
【発明が解決しようとする課題】
【０００６】
ところが、上記携帯電話機においては、ユーザがバイブレータの振動に気が付かず、着信に応答しなかった場合に、その着信の緊急度や重要度(以下、重要度と総称する)に拘わらず、常にバイブレータが動作することになるため、煩わしく、電力の浪費にもなる。
【０００７】
そこで本発明の目的は、マナーモード設定状態における着信であっても重要度の高い着信に対してより確実に応答することが出来る携帯電話機を提供することである。
【課題を解決するための手段】
【０００８】
本発明に係る携帯電話機は、
着信を音声若しくは振動で報知する報知手段と、
所定の条件が設定されている記憶手段と、
着信に応答するユーザ操作が行なわれずに通信が中断された場合に、前記記憶手段を参照して該着信が前記所定の条件を満たすかどうかを判断する判断手段と、
前記着信が所定の条件を満たすと判断されたとき、報知手段を動作させる制御手段
とを具えている。
【０００９】
前記所定の条件は、着信の重要度に応じて設定されており、例えば、その着信が予め指定されている送信相手からの着信であること、所定の時間内に同一の送信相手から所定の回数だけ着信があること、着信時に留守番録音機能による音声メッセージが録音されること、電子メールの着信時にそのメール情報に所定の文字列が含まれていること、電話着信後に同一の送信相手から電子メールが着信すること、電子メールの着信後に同一の送信相手から電話着信があること、或いは所定の時間帯内の着信であること、若しくはこれらの条件の組合せが設定されている。
【００１０】
上記本発明の携帯電話機によれば、着信時に音声若しくは振動による報知に気が付かなかった場合、着信に応答するユーザ操作が行なわれずに通信が中断される。
この場合、記憶手段を参照して該着信が所定の条件を満たすかどうかが判断され、該着信が所定の条件を満たすと判断されたときは、報知手段が動作することになる。
【００１１】
具体的には、着信が所定の条件を満たすと判断されたとき、所定時間内にその着信の送信相手への発信操作を行なわない場合に限り、報知手段が動作する。又、着信が所定の条件を満たすと判断されたとき、所定の時間だけ若しくは所定の回数だけ、報知手段が動作する。
【００１２】
従って、ユーザは、着信時の報知には気が付かなかったとしても、その後の音声若しくは振動による再報知によって、不在着信があったことに気が付くこととなり、その着信の送信相手に対して連絡をとることが出来る。
【発明の効果】
【００１３】
本発明に係る携帯電話機によれば、重要度の高い着信に対してより確実に応答することが出来る。
【発明を実施するための最良の形態】
【００１４】
以下、本発明の実施の形態につき、図面に沿って具体的に説明する。
本発明に係る携帯電話機においては、図１に示す如く、送受信回路(１)に制御回路(２)が接続されており、制御回路(２)に対して、メモリ(３)、スピーカ(４)、マイクロホン(５)、ディスプレイ(６)、及びバイブレータ(７)が接続されており、マナーモード設定状態で音声通話(電話)の着信又は電子メールの着信があったとき、スピーカ(４)の鳴動は停止され、バイブレータ(７)の振動によって着信が報知される。
【００１５】
本発明に係る携帯電話機は、マナーモード設定状態での着信に応答するユーザ操作が行なわれずに通信が中断された場合、その着信が重要度の高いものであるときは、再度、バイブレータを動作させて不在着信を報知する。
【００１６】
本発明に係る携帯電話機において、メモリ(３)には、着信の重要度に応じた第１の条件として、予め指定されている送信相手(発信元／差出人)からの着信であること、第２の条件として、所定の時間内に同一の送信相手から所定の回数だけ着信があること、第３の条件として、着信時に留守番録音機能による音声メッセージが録音されること、第４の条件として、電子メールの着信時にそのサブジェクト若しくは本文中に所定の文字列(例えば「緊急」や「重要」)が含まれていること、が設定されている。
【００１７】
制御回路(２)は、マナーモード設定状態での着信に応答するユーザ操作が行なわれずに通信が中断された場合、メモリ(３)を参照して、上記の４つの条件の中の何れかの条件設定があり、且つその条件を満たすかどうかを判断し、その条件を満たすときは、所定時間内にその着信の送信相手(発信元／差出人)への発信操作を行なわない場合に限り、バイブレータ(７)を所定の時間間隔で繰り返し動作させる。
【００１８】
図２は、前記メモリ(３)に上記条件を設定する手順を表わしている。一括登録においては、先ずステップＳ１にて、マナーモード時のバイブレート設定を開始し、ステップＳ３では、振動条件設定１として、重要と考えられる特定の１人或いは複数人の差出人アドレスを設定した後、ステップＳ４に移行し、その他の条件設定を行なう。
一方、アドレス毎登録においては、先ずステップＳ２にて、アドレス帳編集によって特定の１人の差出人アドレスを選択した後、ステップＳ３は迂回して、ステップＳ４に移行し、その差出人に対するその他の条件設定を行なう。
【００１９】
ステップＳ４では、振動条件設定２として、同一の送信相手(発信元／差出人)からの着信と着信の時間間隔、並びに着信回数を設定する。ステップＳ５では、振動条件設定３として、留守電の登録確認の有無を設定する。ステップＳ６では、振動条件設定４として、電子メールのサブジェクト(Subject)若しくは本文中に含まれる文字列の条件として所定の文字列を設定し、設定手続きを終了する。
【００２０】
図３は、マナーモードの待ち受け状態で着信があったときの報知動作の手続きを表わしている。
ステップＳ１１にて着信があったときは、バイブレータを動作させて、着信を報知する。ステップＳ１２では、ユーザによる応答操作(オフフック操作)があったかどうかを判断し、イエスの場合はステップＳ１３にて通話を開始し、待ち受け状態に戻る。
【００２１】
ステップＳ１２にてノーと判断されたときは、ステップＳ１４に移行して、メモリに振動条件が設定されているかどうかを判断し、ノーの場合は待ち受け状態に戻る。ステップＳ１４にてイエスと判断されたときは、ステップＳ１５に移行して、設定した条件を満たしているかどうかを判断する。ここで、ノーと判断されたときは待ち受け状態に戻る。
【００２２】
一方、ステップＳ１５にてイエスと判断されたときは、ステップＳ１６に移行して、例えば固定値５分のタイマーを起動した後、ステップＳ１７にて、着信に対する応答確認(具体的にはその着信の送信相手への発呼や何らかのユーザの応答操作)があったかどうかを判断する。ここでイエスと判断されたときは、ステップＳ１８にてタイマーを解除した後、待ち受け状態に戻る。
【００２３】
ステップＳ１７にてノーと判断されたときは、更にステップＳ１９にて５分が経過したか否かを判断し、ノーの場合はステップＳ１７に戻って応答確認を繰り返す。その後、応答ステップＳ１９にて５分が経過したと判断されたときは、ステップＳ２０にてバイブレータを１０回だけ一定間隔で振動させる。そして、ステップＳ２１にてタイマーをリセットした後、ステップＳ１６に戻ってタイマーを起動する。
【００２４】
図４は、前記ステップＳ１５における振動条件を満たしているかどうかの判断の具体的な手続きを表わしている。
先ずステップＳ３１にて、差出人の設定の有無を判断し、イエスの場合はステップＳ３２にて、設定したアドレスからの着信若しくは通知であるかどうかを判断する。ここでノーと判断されたときは待ち受け状態に戻る。
【００２５】
ステップＳ３１にてノーと判断され、或いはステップＳ３２にてイエスと判断されたときは、ステップＳ３３に移行して、着信間隔及び着信回数の設定が有るか否かを判断し、イエスの場合はステップＳ３４にて、同一の差出人から、設定した時間間隔内に設定した回数の着信があったか否かを判断する。ここでノーと判断されたときは待ち受け状態に戻る。
【００２６】
ステップＳ３３にてノーと判断され、或いはステップＳ３４にてイエスと判断されたときは、ステップＳ３５に移行して、留守電登録確認の設定が有るか否かを判断し、イエスの場合はステップＳ３６にて留守電登録があるか否かを判断する。ここでノーと判断されたときは待ち受け状態に戻る。
【００２７】
ステップＳ３５にてノーと判断され、或いはステップＳ３６にてイエスと判断されたときは、ステップＳ３７に移行して、メールの“Subject”や本文についての条件文字列の設定が有るか否かを判断し、イエスの場合はステップＳ３８にてメールの“Subject”や本文に、設定した条件文字列が有るか否かを判断する。ここでノーと判断されたときは待ち受け状態に戻る。
ステップＳ３７にてノーと判断され、或いはステップＳ３８にてイエスと判断されたときは、図３に示すステップＳ１６のタイマー起動に移行する。
【００２８】
上記手続きによれば、図５(ａ)に示す如くマナーモード設定状態でバイブレータの振動による報知が行なわれたにも拘わらず、ユーザが応答せずに通信が中断された場合、その着信が所定の振動条件を満たすかどうかの判断が行なわれ、その条件を満たす場合には、図５(ｂ)に示す如く不在着信有の表示が行なわれると共に、バイブレータが所定の時間間隔で動作する。そして、ユーザが何らかの操作を行なったとき、図５(ｃ)の如く不在着信有の表示を残したまま、バイブレータの動作は停止する。
【００２９】
従って、ユーザは、着信時のバイブレータ(７)の振動による最初の報知に気が付かなかったとしても、その後もバイブレータ(７)が繰り返し振動することによる再報知には気が付くことになり、その着信の発信相手(差出人)に連絡をとることが出来る。
又、スパムメールやいたずら電話による着信を受けた場合は、バイブレータ(７)が繰り返し振動することによる再報知は行なわれないので、煩わしさはない。
【００３０】
尚、本発明の各部構成は上記実施の形態に限らず、特許請求の範囲に記載の技術的範囲内で種々の変形が可能である。例えば、着信の重要度に応じた条件としては、上記の４つの条件の他に、電話着信後に同一の送信相手から電子メールが着信すること、電子メールの着信後に同一の送信相手から電話着信があること、所定の時間帯内の着信であること等を設定することが出来る。
【００３１】
又、所定の複数の条件の中の１つの条件を満たすときに振動による再報知を行なう方法に限らず、所定の複数の条件に含まれる幾つかの条件を組み合わせた複合条件を満たすときに限り、振動による再報知を行なう方法を採用することが出来る。
又、所定の振動条件を満たす場合のバイブレータの振動による再報知は、一定時間が経過するまでにユーザによる差出人への発呼やメール送信が行なわれなかった場合、中止することも可能である。
更に又、不在着信時のバイブレータの振動による再報知に替えて、音声による再報知を行なうことも可能である。
【図面の簡単な説明】
【００３２】
【図１】本発明に係る携帯電話機の構成を示すブロック図である。
【図２】該携帯電話機における振動条件の設定手続きを表わすフローチャートである。
【図３】該携帯電話機におけるバイブレータによる再報知の手続きを表わすフローチャートである。
【図４】所定の振動条件を満たすかどうかの判断手続きを表わすフローチャートである。
【図５】本発明に係る携帯電話機の不在着信時の動作を説明する図である。
【図６】従来の携帯電話機の不在着信時の動作を説明する図である。
【符号の説明】
【００３３】
(１)  送受信回路
(２)  制御回路
(３)  メモリ
(４)  スピーカ
(５)  マイクロホン
(６)  ディスプレイ
(７)  バイブレータ
【図１】
2009159527.tif 000003
【図２】
2009159527.tif 000004
【図３】
2009159527.tif 000005
【図４】
2009159527.tif 000006
【図５】
2009159527.tif 000007
【図６】
2009159527.tif 000008